【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
患者における肺癌の発達を阻害するための組成物であって、該組成物は、以下；
（ａ）配列番号１７５、４７８、４７９、および４８３またはそれらの一部のいずれか１つに示されるポリヌクレオチドを含む、ポリヌクレオチド；
（ｂ）配列番号１７６、４７０〜４７７、４８０〜４８２、４８４、４９１、４９７、および５０４〜５６０またはその一部のいずれか１つに示されるアミノ酸配列を含むポリペプチドをコードするポリヌクレオチドを含む、ポリヌクレオチド；
（ｃ）配列番号１７６、４７０〜４７７、４８０〜４８２、４８４、４９１、４９７、および５０４〜５６０のいずれか１つに示されるアミノ酸配列を含む、ポリペプチド；
（ｄ）配列番号１７６、４７０〜４７７、４８０〜４８２、４８４、４９１、４９７、および５０４〜５６０のいずれか１つに示されるアミノ酸配列からなるポリペプチド；ならびに
（ｅ）（ｂ）、（ｃ）または（ｄ）のポリペプチドに少なくとも９０％の同一性を有するアミノ酸配列を含むポリペプチドであって、ヒトＴ細胞応答もしくはＢ細胞応答を刺激することが可能である、アミノ酸配列を含む、ポリペプチド
からなる群の中から選択される少なくとも１つの成分を含む、組成物。
【請求項２】
患者における腫瘍の進行を防止するための組成物であって、該組成物は、以下；
（ａ）配列番号１７５、４７８、４７９、および４８３またはそれらの一部のいずれか１つに示されるポリヌクレオチドを含む、ポリヌクレオチド；
（ｂ）配列番号１７６、４７０〜４７７、４８０〜４８２、４８４、４９１、４９７、および５０４〜５６０またはその一部のいずれか１つに示されるアミノ酸配列を含むポリペプチドをコードする、ポリヌクレオチド；
（ｃ）配列番号１７６、４７０〜４７７、４８０〜４８２、４８４、４９１、４９７、および５０４〜５６０のいずれか１つに示されるアミノ酸配列を含む、ポリペプチド；
（ｄ）配列番号１７６、４７０〜４７７、４８０〜４８２、４８４、４９１、４９７、および５０４〜５６０のいずれか１つに示されるアミノ酸配列からなる、ポリペプチド；ならびに
（ｅ）（ｂ）、（ｃ）または（ｄ）のポリペプチドに少なくとも９０％の同一性を有するアミノ酸配列を含むポリペプチドであって、該ポリペプチドは、ヒトＴ細胞応答もしくはＢ細胞応答を刺激することが可能なアミノ酸配列を含む、ポリペプチド
からなる群の中から選択される少なくとも１つの成分を含む、組成物。
【請求項３】
前記組成物が少なくとも１つのアジュバントをさらに含む、請求項１または２に記載の組成物。
【請求項４】
請求項３に記載の組成物であって、前記アジュバントが、Ｆｒｅｕｎｄ’ｓ  Ｉｎｃｏｍｐｌｅｔｅ  Ａｄｊｕｖａｎｔ；Ｆｒｅｕｎｄ’ｓ  Ｃｏｍｐｌｅｔｅ  Ａｄｊｕｖａｎｔ；Ｍｅｒｃｋ  Ａｄｊｕｖａｎｔ  ６５；ＡＳ−１，ＡＳ−２；水酸化アルミニウムゲル；リン酸アルミニウム；カルシウム、鉄または亜鉛の塩；アシル化チロシンアシル化糖の不溶性の懸濁液；陽イオン的に誘導体化された多糖または陰イオン的に誘導体化された多糖；ポリホスファゼン；生分解性ミクロスフェア；モノホスホリル脂質Ａ、ＱＳ２１、アミノアルキルグルコサミニド４−ホスフェート、およびクイルＡからなる群から選択される、組成物。
【請求項５】
腫瘍タンパク質に特異的なＴ細胞を刺激および／または増殖させるための方法であって、Ｔ細胞の刺激および／または増殖を可能にするために十分な条件および十分な時間の下、以下：
（ａ）配列番号１７５、４７８、４７９、および４８３またはそれらの一部のいずれか１つに示されるポリヌクレオチドを含む、ポリヌクレオチド；
（ｂ）配列番号１７６、４７０〜４７７、４８０〜４８２、４８４、４９１、４９７、および５０４〜５６０またはその一部のいずれか１つに示されるアミノ酸配列を含むポリペプチドをコードする、ポリヌクレオチド；
（ｃ）配列番号１７６、４７０〜４７７、４８０〜４８２、４８４、４９１、４９７、および５０４〜５６０またはその一部のいずれか１つに示されるアミノ酸配列を含む、ポリペプチド；
（ｄ）配列番号１７６、４７０〜４７７、４８０〜４８２、４８４、４９１、４９７、および５０４〜５６０またはその一部のいずれか１つに示されるアミノ酸配列からなる、ポリペプチド；
（ｅ）（ｃ）または（ｄ）のポリペプチドに少なくとも９０％の同一性を有するアミノ酸配列を含む、ポリペプチド；
（ｆ）（ｃ）、（ｄ）または（ｅ）に従うポリペプチドでパルスされたか、またはそれを発現する、抗原提示細胞
からなる群から選択される少なくとも１つの成分とＴ細胞とをエキソビボで接触させる工程を包含する、方法。
【請求項６】
請求項５に記載の方法に従って調製されるＴ細胞を含む、単離されたＴ細胞集団。
【請求項７】
患者における肺癌の処置のための組成物であって、該組成物は、請求項６に記載の増殖させたＴ細胞を含む、組成物。
【請求項８】
患者における免疫応答を刺激するための組成物であって、該組成物は、以下：
（ａ）配列番号１７５、４７８、４７９、および４８３またはそれらの一部のいずれか１つに示されるポリヌクレオチドを含む、ポリヌクレオチド；
（ｂ）配列番号１７６、４７０〜４７７、４８０〜４８２、４８４、４９１、４９７、および５０４〜５６０またはその一部のいずれか１つに示されるポリペプチドをコードする配列を含む、ポリヌクレオチド；
（ｃ）配列番号１７６、４７０〜４７７、４８０〜４８２、４８４、４９１、４９７、および５０４〜５６０のいずれか１つに示されるポリペプチドをコードする配列からなる、ポリヌクレオチド；および
（ｄ）（ｂ）または（ｃ）のポリペプチドに少なくとも９０％の同一性を有するポリペプチド配列をコードする配列を含む、ポリヌクレオチド；
からなる群から選択される少なくとも１つの成分を含み、ここで該ポリヌクレオチドは、ヒトＴ細胞応答またはヒトＢ細胞応答を刺激することが可能なポリペプチドをコードする、組成物。
【請求項９】
患者における免疫応答を刺激するための組成物であって、該組成物は、以下：
（ａ）配列番号１７６、４７０〜４７７、４８０〜４８２、４８４、４９１、４９７、および５０４〜５６０またはそれらの一部のいずれか１つに示されるアミノ酸配列を含む、ポリペプチド；
（ｂ）配列番号１７６、４７０〜４７７、４８０〜４８２、４８４、４９１、４９７、および５０４〜５６０またはその一部のいずれか１つに示されるアミノ酸配列からなる、ポリペプチド；
（ｃ）（ａ）または（ｂ）のポリペプチドに少なくとも９０％の同一性を有するアミノ酸配列を含む、ポリペプチド；
からなる群から選択される少なくとも１つの成分を含み、ここで該ポリペプチドは、ヒトＴ細胞応答またはヒトＢ細胞応答を刺激することが可能である、組成物。
【請求項１０】
前記組成物が、少なくとも１つのアジュバントをさらに含む、請求項８または９に記載の組成物。
【請求項１１】
請求項１０に記載の組成物であって、前記アジュバントが、Ｆｒｅｕｎｄ’ｓ  Ｉｎｃｏｍｐｌｅｔｅ  Ａｄｊｕｖａｎｔ；Ｆｒｅｕｎｄ’ｓ  Ｃｏｍｐｌｅｔｅ  Ａｄｊｕｖａｎｔ；Ｍｅｒｃｋ  Ａｄｊｕｖａｎｔ  ６５；ＡＳ−１，ＡＳ−２；水酸化アルミニウムゲル；リン酸アルミニウム；カルシウム、鉄または亜鉛の塩；アシル化チロシンアシル化糖の不溶性の懸濁液；陽イオン的に誘導体化された多糖または陰イオン的に誘導体化された多糖；ポリホスファゼン；生分解性ミクロスフェア；モノホスホリル脂質Ａ、ＱＳ２１、アミノアルキルグルコサミニド４−ホスフェート、およびクイルＡからなる群から選択される、組成物。
【請求項１２】
配列番号１７６、４７０〜４７７、４８０〜４８２、４８４、４９１、４９７、および５０４〜５６０またはその一部に示される少なくとも１つのポリペプチドを含む、融合タンパク質。
【請求項１３】
発現制御エレメントに作動可能に連結された請求項１２に記載の融合タンパク質をコードするポリヌクレオチドを含む、発現ベクター。
【請求項１４】
請求項１３に記載の発現べクターで形質転換またはトランスフェクトされた、宿主細胞。
【請求項１５】
配列番号５４８、５５９、５６０、４６１、４７０〜４７７、４８０〜４８２、４８４、４９１、４９７、５０４〜５４７、および５４９〜５５８に示されるポリペプチドに特異的に結合する、単離された抗体またはその抗原結合フラグメント。
【請求項１６】
前記抗体またはその抗原結合フラグメントがモノクローナル抗体である、請求項１５に記載の抗体またはその抗原結合フラグメント。
【請求項１７】
請求項１５に記載の少なくとも１つの抗体および検出試薬を含む診断キットであって、該検出試薬がレポーター基を含む、診断キット。
【請求項１８】
生理学的に受容可能なキャリアおよび免疫刺激物からなる群から選択される第１の成分、ならびに以下：
（ａ）配列番号１７６、４７０〜４７７、４８０〜４８２、４８４、４９１、４９７、および５０４〜５６０またはその一部のいずれか１つに示されるアミノ酸配列を含むポリペプチド；
（ｂ）請求項１２に記載の融合タンパク質；
（ｃ）請求項１５に記載の抗体；
（ｄ）請求項６に記載のＴ細胞集団、および
（ｅ）（ａ）に記載のポリペプチドでパルスされたか、またはそれを発現する抗原提示細胞、
からなる群から選択される第２の成分を含む、組成物。
【請求項１９】
患者における免疫応答を刺激するための薬学的組成物であって、請求項１８に記載の組成物を含む、薬学的組成物。
【請求項２０】
患者における肺癌の処置のための薬学的組成物であって、請求項１８に記載の組成物を含む、薬学的組成物。
【請求項２１】
配列番号４７０〜４７７、４８０〜４８２、４８４、４９１、４９７および５０４〜５６０のいずれか１つに示されるアミノ酸配列をコードする配列を含む、単離されたポリヌクレオチド。
【請求項２２】
配列番号４７０〜４７７、４８１〜４８２、４８４、４９１、４９７および５０４〜５６０のいずれか１つのアミノ酸配列を含む、単離されたポリペプチド。